【事件の表示】
　特許第３３７７５１５号「排水桝」の請求項１ないし請求項６に係る発明についての特許に対する特許異議の申立てについて、次のとおり決定する。
【結　論】
　訂正を認める。
　特許第３３７７５１５号の請求項１ないし請求項６に係る発明についての特許を維持する。
【理　由】
第１　手続の経緯
　本件特許第３３７７５１５号の出願は、平成１３年４月１６日に出願された特願２００１−１１６５１８号の特許出願であって、その発明についての特許は平成１４年１２月６日に設定登録され、その特許に対し、特許異議申立人常友美貴子（以下、「申立人」という。）により特許異議の申立てがなされ、当審において取消理由を通知したところ、その指定期間内の平成１６年８月１０日付けで意見書が提出されるとともに、同日付けで訂正請求がなされ、これに対して、当審は期間を指定して前記訂正請求に関しての申立人の意見を審尋をしたところ、何らの応答もなくその期間が経過したものである。
　
第２　訂正の適否についての判断
１．訂正の内容
　特許権者は、訂正請求書を提出して、特許明細書を次のように訂正しようとするものである。
・［訂正事項ａ］：特許明細書の【特許請求の範囲】の
　「【請求項１】排水管や排水溝の途中に設置されて排水を桝蓋に形成した排水孔より内部に導入させる排水桝であって、排水桝の内部に中蓋が雨水を堰き止める閉じ姿勢にして設けられ、閉じ姿勢の中蓋を一定以上の重力によって開放可能に構成し、中蓋には、内部からの増水によって押し開けられて溢流を許容するフラップ片を水平横軸の廻りに回動自在に備えて成ることを特徴とする排水桝。」の記載を、
　「【請求項１】排水管や排水溝の途中に設置されて排水を桝蓋に形成した排水孔より内部に導入させる排水桝であって、
桝本体
中蓋は桝本体内で斜め下方に向けて傾斜する傾斜片を備え、傾斜片に溢流口を設けると共に溢流口に桝本体の
を介して
、桝蓋と傾斜片との間の空間をフラップ片が桝蓋に当たらないように回動し得る大きさに形成して
・［訂正事項ｂ］：特許明細書の【特許請求の範囲】の
　「【請求項３】中蓋は、鉛直方向に垂下された固定片と固定片の下端部に当接する斜片を備え、斜片の上端部を水平軸にて回動自在に保持し、斜片の下端部が固定片の下端部に当接する閉じ姿勢になるように閉じ手段にて付勢して成ることを特徴とする請求項１記載の排水桝。」の記載を、
　「【請求項３】中蓋は、鉛直方向に垂下された固定片と固定片の下端部に当接する
傾斜片
傾斜片
傾斜片
・［訂正事項ｃ］：特許明細書の【特許請求の範囲】の
　「【請求項４】閉じ手段は、傾斜片又は斜片に対するバランス重りであることを特徴とする請求項２又は３記載の排水桝。」の記載を、
　「【請求項４】閉じ手段は、
傾斜片に
・［訂正事項ｄ］：特許明細書の段落【０００７】の
　「【０００７】【課題を解決するための手段】請求項１の発明においては、排水管や排水溝の途中に設置されて排水を桝蓋１に形成した排水孔２より内部に導入させる排水桝であって、排水桝の内部に中蓋が雨水を堰き止める閉じ姿勢にして設けられ、閉じ姿勢の中蓋３を一定以上の重力によって開放可能に構成し、中蓋３には、内部からの増水によって押し開けられて溢流を許容するフラップ片１２を水平横軸１９の廻りに回動自在に備えていることを特徴とするものである。」の記載を、
　「【０００７】【課題を解決するための手段】請求項１の発明においては、排水管や排水溝の途中に設置されて排水を桝蓋１に形成した排水孔２より内部に導入させる排水桝であって、
桝本体１４
３
中蓋３は桝本体１４内で斜め下方に向けて傾斜する傾斜片６を備え、傾斜片６に溢流口３４を設けると共に溢流口３４に桝本体１４の
を介して
、桝蓋１と傾斜片６との間の空間Ｓをフラップ片１２が桝蓋１に当たらないように回動し得る大きさに形成し
・［訂正事項ｅ］：特許明細書の段落【００１１】【００１２】【００３１】【００３２】における「斜片９」及び「斜片７」の記載を、「
傾斜片６
・［訂正事項ｆ］：特許明細書の段落【００１３】【００１４】における「傾斜片６又は斜片９」の記載を、「
傾斜片６
・［訂正事項ｇ］：特許明細書の段落【００２３】の「中蓋３は、一対の傾斜片６、６」の記載を、「中蓋３は、
桝本体１４内で斜め下方に向けて傾斜する
・［訂正事項ｈ］：特許明細書の段落【００２９】の
　「【００２９】更に、中蓋３には、内部からの増水によって押し開けられて溢流を許容するフラップ片１２を傾斜片６の例えばピンのような水平横軸１９の廻りに回動自在に設けている。しかして、図６及び図７に示すように、例えば、集中豪雨時において、排水桝Ａの内部からの増水によってフラップ片１２を押し開いて道路側への溢流をおこなうことができ、常時閉じ姿勢に中蓋３を設置しても問題が生じることがないものである。」の記載を、
　「【００２９】更に、中蓋３
の傾斜片６に溢流口３４を設けると共に溢流口３４に桝本体１４の
を介して
また、桝蓋１と傾斜片６との間の空間Ｓをフラップ片１２が桝蓋１に当たらないように回動し得る大きさに形成している。
・［訂正事項ｉ］：特許明細書の段落【００４３】における「斜片」の記載を、「
傾斜片
・［訂正事項ｊ］：特許明細書の段落【００４４】における「傾斜片又は斜片」の記載を、「
傾斜片
・［訂正事項ｋ］：図面の【図５】【図６】【図７】【図８】【図９】【図１０】を、訂正請求書に添付の【図５】【図６】【図７】【図８】【図９】【図１０】のとおりに訂正する。
　
２．訂正の目的の適否、新規事項の有無及び拡張・変更の存否
　［訂正事項ａ］の、請求項１に係る発明の「排水桝」の記載を「
桝本体
中蓋は桝本体内で斜め下方に向けて傾斜する傾斜片を備え、傾斜片に溢流口を設けると共に溢流口に桝本体の
を介して
、桝蓋と傾斜片との間の空間をフラップ片が桝蓋に当たらないように回動し得る大きさに形成して
　［訂正事項ｂ］の、請求項３に係る発明の「斜片」の記載を「
傾斜片
　［訂正事項ｃ］の訂正は、請求項４に係る発明の「傾斜片又は斜片」の記載を「
傾斜片
　［訂正事項ｄ］の訂正は、発明の詳細な説明の段落【０００７】の記載を、請求項１の記載に整合させるための訂正であるから、明りようでない記載の釈明を目的とするものに該当する。
　［訂正事項ｅ］の訂正は、発明の詳細な説明の段落【００１１】【００１２】【００３１】及び【００３２】の記載を、請求項１の記載に整合させるための訂正であるから、明りようでない記載の釈明を目的とするものに該当する。
　［訂正事項ｆ］の訂正は、発明の詳細な説明の段落【００１３】及び【００１４】の記載を、請求項４の記載に整合させるための訂正であるから、明りようでない記載の釈明を目的とするものに該当する。
　［訂正事項ｇ］の訂正は、発明の詳細な説明の段落【００２３】の記載を、請求項１の記載に整合させるための訂正であるから、明りようでない記載の釈明を目的とするものに該当する。
　［訂正事項ｈ］の訂正は、発明の詳細な説明の段落【００２９】の記載を、請求項１の記載に整合させるための訂正であるから、明りようでない記載の釈明を目的とするものに該当する。
　［訂正事項ｉ］の訂正は、発明の詳細な説明の段落【００４３】の記載を、請求項１の記載に整合させるための訂正であるから、明りようでない記載の釈明を目的とするものに該当する。
　［訂正事項ｊ］の訂正は、発明の詳細な説明の段落【００４４】の記載を、請求項４の記載に整合させるための訂正であるから、明りようでない記載の釈明を目的とするものに該当する。
　［訂正事項ｋ］の訂正は、図面の【図５】【図６】【図７】【図８】【図９】【図１０】の記載を、明細書の発明の詳細な説明の記載に整合させるための訂正であるから、明りようでない記載の釈明を目的とするものに該当する。
　そして、上記［訂正事項ａ］ないし［訂正事項ｋ］の各訂正における技術事項は、特許明細書又は図面に記載されていた範囲内のものであるから、これらの［訂正事項ａ］ないし［訂正事項ｋ］の各訂正は、願書に添付した明細書又は図面に記載した事項の範囲内においてした訂正であって、新規事項の追加に該当せず、さらに、実質上特許請求の範囲を拡張し、又は変更するものでもない。
　
３．むすび
　以上のとおりであるから、上記訂正は、平成１５年法改正前特許法第１２０条の４第２項及び同条第３項において準用する特許法第１２６条第２項から第４項までの規定に適合するので、当該訂正を認める。
　
第３　特許異議の申立てについて
１．特許異議の申立ての取消理由の概要
　申立人は、下記の甲第１号証ないし甲第５号証を提示し、本件特許発明には次のような取消理由があるから、請求項１ないし請求項６に係る発明についての特許は取り消されるべきである旨を申し立てている。
　［取消理由１］：請求項１に係る発明は、甲第１号証に記載された発明であるから、特許法第２９条第１項第３号に該当するので、請求項１に係る発明についての特許は取り消されるべきである。
　［取消理由２］：請求項１ないし請求項６に係る発明は、甲第１号証ないし甲第５号証に記載された発明に基いて当業者が容易に発明をすることができたものであるから、特許法第２９条第２項の規定に違反して特許されたので、請求項１ないし請求項６に係る発明についての特許は取り消されるべきである。
　　　　　　　　　　　　　　　　　記
・
甲第１号証
・
甲第２号証
・
甲第３号証
・
甲第４号証
・
甲第５号証
　
２．本件発明
　本件発明は、特許明細書が訂正請求により訂正された結果、訂正明細書の特許請求の範囲の請求項１ないし請求項６に記載された次の事項により特定されるとおりのものである。（前記「第２　訂正の適否についての判断」の欄の「１．訂正の内容」の項の［訂正事項ａ］ないし［訂正事項ｃ］を参照。）
　「【請求項１】排水管や排水溝の途中に設置されて排水を桝蓋に形成した排水孔より内部に導入させる排水桝であって、
桝本体
中蓋は桝本体内で斜め下方に向けて傾斜する傾斜片を備え、傾斜片に溢流口を設けると共に溢流口に桝本体の
を介して
、桝蓋と傾斜片との間の空間をフラップ片が桝蓋に当たらないように回動し得る大きさに形成して
　　【請求項２】中蓋は、対向する一対の傾斜片を備え、傾斜片の上端部を水平軸の廻りに回動自在に保持し、一対の傾斜片の下端部が当接して略Ｖ字状の閉じ姿勢になるように閉じ手段にて付勢して成ることを特徴とする請求項１記載の排水桝。
　　【請求項３】中蓋は、鉛直方向に垂下された固定片と固定片の下端部に当接する
傾斜片
傾斜片
傾斜片
　　【請求項４】閉じ手段は、
傾斜片に
　　【請求項５】中蓋の周部にフランジを形成し、フランジを桝蓋と蓋載置縁との間に介装して中蓋を設置して成ることを特徴とする請求項１乃至４のいずれかに記載の排水桝。
　　【請求項６】排水管や排水溝の途中に設置されて排水を桝蓋に形成した排水孔より内部に導入させる排水桝であって、排水桝の内部に中蓋が雨水を堰き止める閉じ姿勢にして設けられ、閉じ姿勢の中蓋を降雨の検知結果に基づく制御信号によって開閉を自動制御する手段を設けて成ることを特徴とする排水桝。」（以下、これらを請求項の順に「本件発明１」ないし「本件発明６」という。）
　
３．甲号各証に記載の発明
（１）
甲第１号証
「＜問題を解決するための手段＞
　この考案の集水升は、外枠の内側面に蓋を受ける段部が連続して突設されており、この蓋としては格子蓋のような透水性の蓋を用いる。上記段部の下面には弁座が形成され、その下方に排水弁が位置する。排水弁はその一側縁寄りの位置を上記外枠に支持され、この位置を中心とする揺動運動により、上記一側縁以外の縁部分が上記弁座に当接する閉弁状態と、この縁部分が上記弁座から離れる開弁状態をとることができる。そして、通常は閉弁状態を維持するように、排水弁の上記一側縁の近傍に重錘が取り付けられている。
　この排水弁には、大きな面積の溢水窓が穿設されていて、この溢水窓を閉塞するようにその上面に溢水弁が乗っており、この溢水弁の一側縁は蝶番によって上記排水弁に結合されている。
＜作用＞
　この考案の集水升は、格子蓋等で被蓋されているので、地表面の水を容易に升内に導くことができる。」（１頁２欄１０行〜２頁３欄２行）
「段部３の下方に排水弁４が位置し、図における左側縁寄りの位置で外枠１に設けた軸５によって揺動自在に支持されている。排水弁４の軸５を境として左側の部分４Ｌには、これを貫通する螺桿６及びナット７，７によって重錘８が取付けられ、その重力により排水弁４は常に反時計廻りの力を受けている。この力によって、排水弁４の軸５を境とする右側部分４Ｒの周縁部分は、段部３の下面に形成した弁座９に軽く当接する。」（２頁３欄１２行〜２１行）
「排水弁４の右側部分４Ｒには、その周縁部分を残して大きな溢水窓１１が穿設され、この窓１１よりも若干大きな寸法の溢水弁１２が、窓１１を閉塞するように排水弁４上に乗せられ、かつ軸５側の側縁が蝶番１３によって排水弁４に結合されている。
　上述の集水升は、平常は第１図に示すように排水弁４が重錘８の重力によって弁座９に当接した閉弁状態にあるため、格子蓋３の隙間を通して升内が見えるのを防ぎ、かつ下水管から上昇してくる臭気を遮断している。
　次に、地表の水を格子蓋３の隙間から流し込むと、排水弁４上に溜った水は重錘８の重力に抗って第２図示のように排水弁４を開弁し、升内の下方へ落下し、これを終れば自動的に第１図示の閉弁状態へ復旧する。
　また、下水管内が増水して内圧が高まった場合には、排水弁４は運動できないが、第３図に示すように溢水弁１２が蝶番１３を支点として開弁し、内部の水を溢水窓１１及び格子蓋３の隙間から地表へ溢水させ、内圧を引下げ、内圧上昇による排水弁４の破損を防ぐ。そして、下水管の内圧が降れば溢水弁１２は自己の重力によって復旧する。」（２頁３欄２７行〜４欄６行）
　これらの記載によれば、甲第１号証には、「下水管に設置されて地表の水を格子蓋３の隙間より内部に導入させる集水升であって、集水升の内部に排水弁４が重錘８により地上の水を堰き止める方向に付勢されていることにより閉弁状態に設けられ、閉弁状態の排水弁４を一定以上の地上の水の重力によって開放可能に構成し、排水弁４には、下水管内が増水して内圧の高まりによって開弁して地表への溢流を許容する溢流弁１２を蝶番１３の廻りに回動自在に備えた集水升」の発明の記載が認められる。
　
（２）
甲第２号証
「【課題】簡単な構造で、雨水桝から臭気が外部に揮散することを防止できる臭気防止装置を提供すること。
　【解決手段】本臭気防止装置１０は、雨水桝１に形成された受枠２にこの雨水桝１の上方開口を覆うように着脱自在に装着可能でかつ通水孔が穿設された板部材１１と、該板部材１１の下面に接合手段によって取り付けされ、下端に開口部１３ａを有する可撓性シート素材製の袋体１３と、該袋体１３の下方に前記開口部１３ａを閉塞すべく常時外方向に付勢し続ける弓状バネ体１４とからなる構成を構造特徴とするものである。」（１頁左欄の要約の記載）
「【００１９】図において、第一実施例の臭気防止装置１０は、雨水桝１に形成された受枠２にこの雨水桝１の上方開口３を覆うように取り付けされるものであり、その略全面に複数の長穴形状に穿設された通水孔１１ａを有する板部材１１と、該板部材１１の下面に接合手段１２によって取り付けされ下端に開口部１３ａを形成した可撓性シート素材製の袋体１３と、該袋体１３の下方に備えられ前記開口部１３ａを常時外方向に付勢し続ける弓状バネ体１４と、から構成されているものである。
　【００２０】前記板部材１１はステンレス板製（ＳＵＳ３０４）で、前記雨水桝１の上方開口を覆うように着脱自在に装着可能な寸法形状に形成されており、前記通水孔１１ａを介して雨水等を下方に通過させることができるようになっている。但し、前記通水孔１１ａの寸法形状や数量或いはその穿設位置等は、いずれも適宜設計変更可能な事項である。
　【００２１】前記接合手段１２は、板部材１１の下面に前記袋体１３を取付けできればよく、これを限定するものではない。例えば熱圧着の如く、板部材１１に袋体１３を着脱不能に取り付けする手段でもよいが、板部材１１に袋体１３を着脱自在に取り付けできると、当該袋体１３の着脱が極めて簡単且つ迅速に行えるから、好適である。より具体的には、面ファスナー手段、フック・ホック手段、或いは釦手段等が例示できる。
　【００２２】前記袋体１３は、所謂ビニールの薄膜製で、下端に開口部１３ａを有する袋状に形成されている。但し、袋体１３の素材を限定するものではなく、可撓性を有するとともに不通気性であれば何でも構わない。
　【００２３】前記弓状バネ体１４は、袋体１３を常時外方向に付勢し続けて開口部１３ａを閉じた状態に保持すべく、袋体１３の下方に備えたピアノ線であり、これにより、雨水枡から開口部１３ａを介して大気中に臭気が散逸することを防止するようになっている。
　なお、袋体１３の中に通水孔１１ａを介して雨水が集水されると、開口部１３ａは集水された雨水の自重により弓状バネ体１４の弾性力に抗して開口するため、雨水は自然排出される。袋体１３からの雨水の排出が終了すると、当該開口部１３ａは弓状バネ体１４の弾性力によって再び閉じた状態となる。この過程を繰り返す。」
　
（３）
甲第３号証
「【課題】水落ち蓋でありながら、蚊・蠅・ゴキブリ等の出入りを防ぐと同時に、臭気や流水音を遮断し、しかも洗浄の容易な吸排気装置付き水落ち蓋を提供する。
　【解決手段】本発明に係る吸排気装置付き水落ち蓋２０において、道路側溝や雨水桝等の蓋として装着される水落ち蓋２１の裏面側に、吸排気装置３１を一体に締結させた吸排気装置付き水落ち蓋２０であって、前記吸排気装置３１は、前記水落ち蓋２１の蓋部２２に設けた複数の水落孔２２ａを囲うように筒体３２を設け、該筒体３２の下部開口３２ｂのほぼ部中央に回動軸３３を架設し、該回動軸３３に前記筒体３２の下部開口３２ｂを常時は閉成するドア３４を、回動可能に嵌着させた。」（１頁左欄の要約の記載）
「【００１７】【実施の形態１】本発明の実施の形態１に係る吸排気装置付き水落ち蓋を示す図１及び図２に基づいて説明する。
　【００１８】図１は、吸排気装置付き水落ち蓋を示す分解説明図である。図２は、図１の要部断面図である。
　【００１９】図１及び図２において、２０は吸排気装置付き水落ち蓋、２１は水落蓋、２２は蓋部で、この蓋部２２には多数の水落孔２２ａを設けている。２５は蓋部２２を取外すときに架けるフックであり、２７は外枠で、側溝の地面に埋め込んだ外枠２７に蓋部２２を填め込む構成としている。
　【００２０】３１は吸排気装置、３２は筒体で、水落ち蓋２１の裏面に締結できるように、止め孔３２ａを筒体３２の周縁に設けている。そして、筒体３２の下部には斜傾させた下部開口３２ｂを設け、この下部開口３２ｂのほぼ中央には回動軸３３を筒体３２を架橋するように架設させて、この回動軸３３にドア３４を回動可能に嵌着させている。この回動軸３３を挟んで左右の排気部３４ｂと吸気部３４ａとからなる一体のドア３４を形成させている。　このドア３４の排気部３４ｂは、吸気部３４ａよりもウエイト３４ｃの装着で重くしたアンバランスのドア３４を構成させている。
　【００２１】したがって、特別な押圧を受けない常時は、図２に示すように、重量の重い排気部３４ｂは、ドア３４を反時計方向に回動させて筒体３２の内面に内接し、軽量の吸気部３４ａは、筒体３２の下部端面に当接して閉成することになる。
　【００２２】また、３５は管体で形成し筒体３２に架設したストッパで、ドア３４が回動し上死点に到達する前の所定の位置で、ドア３４の回動を停止させるようにしたものである。したがって、押圧力が減少すると上死点で停止することなく、元の位置に戻ることになる。
　【００２３】なお、ドア３４の常時の位置を斜傾した状態にしたのは、水落孔２２ａから浸入した雨水等がドア３４の吸気部３４ａ先端部に溜まり、ドア３４が回動し排水し易くしたものである。
　【００２４】次に、以上のように構成した吸排気装置付き水落ち蓋２０について、その作用を説明する。
　【００２５】すなわち、雨水等は蓋部２２の水落孔２２ａから浸入し、斜傾して筒体３２の下部開口を閉成しているドア３４上を流れ、ドア３４の吸気部３４ａと筒体３２との間に溜まる。そして、溜まった雨水が押圧力となって、矢印ｐ方向に回動し、一体となっているドア３４の排気部３４ｂも矢印ｑ方向に回動させてストッパ３５に当接して停止しする。排水されると自然に矢印ｐ，ｑと逆方向に回動して元の位置に戻り、下部開口３２ｂを閉成することになる。勿論、吸排気装置３１を水で洗浄等した場合も、ドア３４は同様に作用する。
　【００２６】したがって、異常時にはドア３４は回動し開成するが、常時は閉成しているので、側溝や雨水桝内からの臭気や流水音等が遮断される上に、蚊や蠅やゴキブリ等の出入りができなくなり、衛生的である。このように、水落ち蓋２１でありながら、ドア３４の閉成作用により、めくら蓋ともなり得て、場所を選ばず広く使用することができる。」
　
（４）
甲第４号証
「〔目的〕側溝用マスからの臭気逆流を阻止する下水道側溝マス用防臭弁装置を提供する。
　〔構成〕マス蓋用嵌合段部２にセットする支持板３を上端に鍔突設したマス本体枠内に収容される所定深さの排水ダクト１を形成し、この下面に設けた片流れ開口底部５に、排水ダクト側に支点枢着し基端に重錘１１を取付けリンクアーム９の先端にピン接続した防臭弁プレート６を当接し重錘型開閉機構１２を構成してなり、非降雨時に防臭弁プレート６を重錘１１の押し付け力で片流れ開口底部５に密着の着座をする。」（１頁左欄の要約の記載）
「【０００９】１はマス蓋用嵌合段部２にセット嵌合する大きさをもつ支持板３を上端に鍔突設したマス本体４に収容されるステンレス材又は合成樹脂材等より形成した排水ダクトで、この所定深さをもつ排水ダクト１の下面に設けた片流れ開口底部５に同ステンレス材又は合成樹脂材等より形成した堅板製防臭弁プレート６を面当接すると共に、該防臭弁プレート６を排水ダクト１の側壁に横突設せる支持片７の枢軸８に中間を支点枢着した傾斜配置のリンクアーム９の下端にピン１０で接続し、且つリンクアーム９の上端には所定重量をもつ重錘１１を固定して重錘型開閉機構１２を構成し、これら全体構成で下水道側溝マス用防臭弁装置１３とする。この場合、排水ダクト１の形状は、円形（円筒形）とか四角形（角柱形）など各種あるが、上端の支持板３がマス蓋用嵌合段部２に嵌合支持され、且つマス本体４の枠内４ａに収まれば良く、前記形状に限定されるものではない。また、重錘１１の取付手段も図示のようにリンクアーム９端に直接配設しなくとも、チェーン，索条（図示せず）等を介在した間接装着でもよく、要は重錘作用で防臭弁プレート６が片流れ開口底部５に着座すればよい。
　【００１０】いまこの作用を説明すると、先ず道路端に構築してある適宜幅と深さをもつ側溝用マス４′の上端に設けた方形状のマス蓋用嵌合段部２に、下水道側溝マス用防臭弁装置１３の上縁の鍔状支持板３をセット嵌合し、本体となる排水ダクト１をマス本体４の枠内４ａに挿入する。この場合、支持板３の形状は蓋嵌合段部１５に嵌まり込む形を採り、且つ排水ダクト１の上開口１ａはマス蓋１６の流入孔１６ａの真下に臨むように設定している。このため、嵌合段部１５に嵌合した薄板（例えば、板厚１ｍｍ程度のステンレス板）の支持板３の上にコンクリート，鉄製等のマス蓋１６を単に載置すれば、該支持板３はマス蓋１６の自重による押え付けで安定セットとなる。
　【００１１】ここにおいて、マス蓋１６から雨水等が流れ込まない場合は、マス蓋１６の真下位置の排水ダクト１に雨水が溜まらず、このため、底部分を塞ぐ傾斜の防臭弁プレート６は、中間を枢軸８で支点としたリンクアーム９の上端に有する重錘１１のウエート作用で押し上げられ常時閉じる状態となる。この時、リンクアーム９と防臭弁プレート６の接続は、ピン１０による自由度のある接続を採るため、防臭弁プレート６は片流れ開口底部５に対し着座する密着性が向上する。
　【００１２】この場合、下水本管で発生した臭気が取付管１７を経て側溝用マス４′側へ逆流してきても、マス本体４内には排水ダクト１が二重構成として配設され、該排水ダクト１の底を防臭弁プレート６で閉じているため、臭気は上方のマス蓋１６から洩れ出すことがない。
　【００１３】次に、降雨等の雨水が側溝へ集まりマス蓋１６の流入孔１６ａを経て排水ダクト１へ流入し、この雨水量による重量圧（負荷）が排水ダクト１の片流れ開口底部５に着座している防臭弁プレート６の重錘１１による押圧力より大となれば、該防臭弁プレート６はリンクアーム９の支点を中心として回動し底が開くようになる。即ち、雨水が所定量溜まれば自動的に防臭弁プレート６が開き下方のマス本体４内へ流出し、該マス本体４に配管した取付管１７から下水本管へと排水される。勿論、この時は、雨水の流下で臭気の上昇はない。」
　また、甲第４号証の段落【００１０】、【図１】、【図２】及び【図３】の記載からみて、甲第４号証には、「下水道側溝マス用防臭弁装置１３の上縁の鍔状支持板３が本体となる排水ダクト１よりも水平方向に張出し延設されていて、その鍔状支持板３の張出し延設部が側溝用マス４’の上端に設けたマス蓋用嵌合段部２に係止され、かつ、鍔状支持板３の上に載置されるマス蓋１６とマス蓋用嵌合段部２との間に介在されるようにして、下水道側溝マス用防臭弁装置１３の排水ダクト１がマス本体４の枠内４ａに挿入される下水道側溝マス用防臭弁装置」が記載されている。
　そうすると、これらの記載からみて、甲第４号証には、「下水道側溝マス用防臭弁装置１３の上縁の鍔状支持板３が本体となる排水ダクト１よりも水平方向に張出し延設されていて、その鍔状支持板３の張出し延設部が側溝用マス４’の上端に設けたマス蓋用嵌合段部２に係止され、かつ、鍔状支持板３の上に載置されるマス蓋１６とマス蓋用嵌合段部２との間に介在されるようにして、下水道側溝マス用防臭弁装置１３の排水ダクト１がマス本体４の枠内４ａに挿入される下水道側溝マス用防臭弁装置において、前記鍔状支持板３から鉛直方向に垂下されて形成された排水ダクト１と、排水ダクト１の片流れ開口底部５下端部に斜めに傾斜して当接する防臭弁プレート６とを備え、防臭弁プレート６を支持するリンクアーム９の端部に設けられた重錘１１により、前記防臭弁プレート６の上端部が排水ダクト１の下端の支持片７に枢軸８にて回動自在に保持され、防臭弁プレート６の下端部が排水ダクト１の片流れ開口底部５に当接するようにした下水道側溝マス用防臭弁装置１３」の技術事項が記載されているといえる。
　
（５）
甲第５号証
　
４．当審の判断
（１）本件発明１について
　特許明細書の特許請求の範囲の【請求項１】に記載された請求項１に係る発明を特定する事項が、訂正請求により訂正明細書の特許請求の範囲の請求項１に記載のとおりに限定減縮されたことにともない、本件発明１は「中蓋は桝本体内で斜め下方に向けて傾斜する傾斜片を備え、傾斜片に溢流口を設けると共に溢流口に桝本体の内部からの増水によって押し開けられて溢流を許容するフラップ片を水平横軸を介して回動自在に備え、桝蓋と傾斜片との間の空間をフラップ片が桝蓋に当たらないように回動し得る大きさに形成して成ること」の発明特定事項を有することになった。
　しかしながら、申立人の提出した甲第１号証ないし甲第５号証のいずれにも、本件発明１の前記発明特定事項についての記載が認められず、またそれを示唆する記載も認められない。そして、前記発明特定事項が本願特許出願時の周知技術であるとも、或いは、本件特許明細書の記載からみて自明の事項であるとも認めることができない。
　そうしてみると、申立人の提出した甲第１号証ないし甲第５号証には、本件発明１の構成の一部が個々に記載されているだけであり、甲第１号証ないし甲第５号証にそれぞれ記載された発明を組み合わせたとしても、もとより本件発明１の構成を得ることができない。そして、本件発明１は、前記発明特定事項により、特許明細書に記載されている格別顕著な作用効果を奏するものと認められる。
　以上のとおりであり、本件発明１が甲第１号証に記載された発明であるとすることも、或いは、本件発明１が甲第１号証ないし甲第５号証にそれぞれ記載された発明に基いて当業者が容易に発明をすることができたものであるとすることもできない。
　
（２）本件発明２ないし本件発明５について
　本件発明２ないし本件発明５は、何れも請求項１を直接的に又は間接的に引用する形式で表現された発明であり、したがって、本件発明２ないし本件発明５は本件発明１の下位概念の発明であるから、本件発明２ないし本件発明５のいずれもが、請求項１に係る発明の「中蓋は桝本体内で斜め下方に向けて傾斜する傾斜片を備え、傾斜片に溢流口を設けると共に溢流口に桝本体の内部からの増水によって押し開けられて溢流を許容するフラップ片を水平横軸を介して回動自在に備え、桝蓋と傾斜片との間の空間をフラップ片が桝蓋に当たらないように回動し得る大きさに形成して成ること」という発明特定事項を有している。
　そして、上記「（１）本件発明１について」欄に既述したとおり、本件発明１を、甲第１号証に記載された発明であるとすることも、或いは、本件発明１が甲第１号証ないし甲第５号証にそれぞれ記載された発明に基いて当業者が容易に発明をすることができたものであるとすることもできない以上、本件発明１の下位概念の発明である本件発明２ないし本件発明５に対しても、本件発明１と同じ理由で、甲第１号証ないし甲第５号証にそれぞれ記載された発明に基いて当業者が容易に発明をすることができたものであるとすることはできない。
　
（３）本件発明６について
　本件発明６は、上記「２．本件発明」欄に摘記した訂正明細書の特許請求の範囲の請求項６に記載された事項により特定されるとおりのものであり、「閉じ姿勢の中蓋を降雨の検知結果に基づく制御信号によって開閉を自動制御する手段を設けて成ること」という発明特定事項を有している。
　しかしながら、申立人の提出した甲第１号証ないし甲第５号証のいずれにも、本件発明６の前記発明特定事項についての記載が認められず、またそれを示唆する記載も認められない。そして、前記発明特定事項が本願特許出願時の周知技術であるとも、或いは、本件特許明細書の記載からみて自明の事項であるとも認めることができない。
　そうしてみると、申立人の提出した甲第１号証ないし甲第５号証には、本件発明６の構成の一部が個々に記載されているだけであり、甲第１号証ないし甲第５号証にそれぞれ記載された発明を組み合わせたとしても、もとより本件発明６の構成を得ることができない。そして、本件発明６は、前記発明特定事項により、特許明細書に記載されている格別顕著な作用効果を奏するものと認められる。
　以上のとおりであり、本件発明６が甲第１号証ないし甲第５号証にそれぞれ記載された発明に基いて当業者が容易に発明をすることができたものであるとすることはできない。
　
第４　むすび
　以上のとおりであるから、特許異議の申立ての理由によっては本件発明１ないし本件発明６についての特許を取り消すことはできない。
　また、他に本件発明１ないし本件発明６についての特許を取り消すべき理由を発見しない。
　よって、結論のとおり決定する。
【異議決定日】
平成１６年１０月２５日（２００４．１０．２５）
【訂正の要旨】
審決（決定）の【理由】欄参照。
（５４）【発明の名称】
排水桝
（５７）【特許請求の範囲】
　【請求項１】　排水管や排水溝の途中に設置されて排水を桝蓋に形成した排水孔より内部に導入させる排水桝であって、
桝本体
中蓋は桝本体内で斜め下方に向けて傾斜する傾斜片を備え、傾斜片に溢流口を設けると共に溢流口に桝本体の
を介して
、桝蓋と傾斜片との間の空間をフラップ片が桝蓋に当たらないように回動し得る大きさに形成して
　【請求項２】　中蓋は、対向する一対の傾斜片を備え、傾斜片の上端部を水平軸の廻りに回動自在に保持し、一対の傾斜片の下端部が当接して略Ｖ字状の閉じ姿勢になるように閉じ手段にて付勢して成ることを特徴とする請求項１記載の排水桝。
　【請求項３】　中蓋は、鉛直方向に垂下された固定片と固定片の下端部に当接する
傾斜片
傾斜片
傾斜片
　【請求項４】　閉じ手段は、傾斜
片に
　【請求項５】　中蓋の周部にフランジを形成し、フランジを桝蓋と蓋載置縁との間に介装して中蓋を設置して成ることを特徴とする請求項１乃至４のいずれかに記載の排水桝。
　【請求項６】　排水管や排水溝の途中に設置されて排水を桝蓋に形成した排水孔より内部に導入させる排水桝であって、排水桝の内部に中蓋が雨水を堰き止める閉じ姿勢にして設けられ、閉じ姿勢の中蓋を降雨の検知結果に基づく制御信号によって開閉を自動制御する手段を設けて成ることを特徴とする排水桝。
【発明の詳細な説明】
　【０００１】
　【発明の属する技術分野】
　本発明は、排水桝に関し、詳しくは、道路の側溝や家庭等の敷地に設置される排水桝（会所）の内部の溜まり部において蚊等が発生するのを防止し、かつ、内部からの臭気の飛散を遮蔽しようとする技術に係るものである。
　【０００２】
　【従来の技術】
　従来、排水管や排水溝の途中に設置されて排水を桝蓋に形成した排水孔より内部に導入させる排水桝においては、排水管が桝底部よりやや上方において桝本体に接続されることから、桝底部には溜まり部が必然的に形成されるものである。
　【０００３】
　このような排水桝の底部の溜まり部には水たまりが形成されているのであり、桝蓋の排水孔より蚊が容易に侵入して水溜まりに卵を産み付けるのであり、ぼうふらが発生し、蚊となって排水孔より外部に飛散するのである。このように、道路、工場及び家庭等における排水桝が蚊の温床になっているのであり、又、排水桝内の水溜まりからの臭気が外部に放散されるものである。
　【０００４】
　ところで、蚊の侵入を防止する手段として、桝蓋の裏面において排水孔を覆って網を付設する構成が提案されているが、このような構成においては、排水孔の底部に網が付設されていることから、網の上にごみが堆積して排水孔を閉塞してしまうという問題があり、それでいて、排水孔から臭気が漏れるという問題は解消し得ないものである。
　【０００５】
　因みに、水中に産まれた蚊の卵は溜まり部に水分がなくなった乾燥状態を卵で過ごすのであり、次の降雨で水分が溜まり部に溜められたときを待ってぼうふらに変態するのであり、蚊が排水桝に侵入しなくても蚊は発生するものである。
　【０００６】
　【発明が解決しようとする課題】
　本発明はこのような問題に鑑みてなされたものであり、道路の側溝や家庭等の敷地に設置される排水桝の内部の溜まり部において蚊等が発生するのを防止し、かつ、内部からの臭気の飛散を遮蔽することができる排水桝を提供することを課題とするものである。
　【０００７】
　【課題を解決するための手段】
　請求項１の発明においては、排水管や排水溝の途中に設置されて排水を桝蓋１に形成した排水孔２より内部に導入させる排水桝であって、
桝本体１４
３
中蓋３は桝本体１４内で斜め下方に向けて傾斜する傾斜片６を備え、傾斜片６に溢流口３４を設けると共に溢流口３４に桝本体１４の
を介して
、桝蓋１と傾斜片６との間の空間Ｓをフラップ片１２が桝蓋１に当たらないように回動し得る大きさに形成し
　【０００８】
　このような構成によれば、桝蓋１の排水孔２から内部に浸入した雨水は閉じ姿勢の中蓋３によって堰き止められ、堰き止められた雨水が一定量を越えて一定以上の重力になると中蓋３を開放して雨水を桝底部へと導入して、雨水の排水を支障なくおこなうことができながら、桝蓋１の排水孔２から蚊が侵入しても雨が降っていないときは中蓋３は閉じられていることから、降雨や各種排水にて生じる水溜まりに侵入することを確実に防止することができ、蚊が水溜まりに卵を産むことを確実に阻止することができるのであり、排水桝から蚊が発生するのを確実に防止し、かつ、臭気の漏洩も防止することができる。
　更に、例えば、集中豪雨時において、排水桝の内部からの水によってフラップ片１２を開いて道路側への溢流をおこなうことができ、常時閉じ姿勢に中蓋３を設置しても問題が生じることがない。
　【０００９】
　請求項２の発明においては、中蓋３は、対向する一対の傾斜片６、６を備え、傾斜片６の上端部を水平軸７の廻りに回動自在に保持し、一対の傾斜片６、６の下端部が当接して略Ｖ字状の閉じ姿勢になるように閉じ手段４にて付勢していることを特徴とするものである。
　【００１０】
　このような構成によれば、一対の傾斜片６、６の下端部が当接する略Ｖ字状の閉じ姿勢になる両開き構成となっていることから、略Ｖ字状の谷部に溜められた雨水等の重力にて一対の傾斜片６、６を円滑に開くことができ、両開きだから各傾斜片６を開くための重力（力）を小（１／２）にでき、傾斜片６の開きのための応答性を高めることができ、中蓋３による排水機能を高めることができる。
　【００１１】
　請求項３の発明においては、中蓋３は、鉛直方向に垂下された固定片８と固定片８の下端部に当接する
傾斜片６
傾斜片６
傾斜片６
　【００１２】
　このような構成によれば、中蓋３は回動する
傾斜片６
　【００１３】
　請求項４の発明においては、閉じ手段４は、傾斜片
６に
　【００１４】
　このような構成によれば、ばねにて閉じる構成に比べて傾斜片
６を
　【００１５】
　請求項５の発明においては、中蓋３の周部にフランジ５を形成し、フランジ５を桝蓋１と蓋載置縁１７との間に介装して中蓋３を設置していることを特徴とするものである。
　【００１６】
　このような構成によれば、フランジ５を桝蓋１と桝本体の蓋載置縁１７とに敷込むことで既存の排水桝に中蓋３を容易、迅速に設置することができる。
　【００１７】
　【００１８】
　【００１９】
　請求項６の発明においては、排水管や排水溝の途中に設置されて排水を桝蓋１に形成した排水孔２より内部に導入させる排水桝であって、排水桝の内部に中蓋３が雨水を堰き止める閉じ姿勢にして設けられ、閉じ姿勢の中蓋３を降雨の検知結果に基づく制御信号によって開閉を自動制御する手段２８を設けて成ることを特徴とするものである。
　【００２０】
　このような構成によれば、桝蓋１の排水孔２から内部に浸入した雨水は閉じ姿勢の中蓋３によって堰き止められ、堰き止められた雨水を降雨の検知結果にて中蓋３を開放して雨水を桝底部へと導入して、雨水の排水を支障なくおこなうことができながら、桝蓋１の排水孔２から蚊が侵入しても雨が降っていないときは中蓋３は閉じられていることから、降雨や各種排水にて生じている水溜まりに卵を産むことを確実に阻止することができ、排水桝から蚊が発生するのを確実に防止することができ、かつ、中蓋３の開閉を自動制御できる。
　【００２１】
　【発明の実施の形態】
　以下、本発明の実施の形態を説明する。図１及び図２は参考図を示し、図１は施工状態の概略断面図である。図２は桝蓋を外した概略平面図である。
　【００２２】
　排水桝Ａは、道路の側端部に形成された側溝、暗渠のような排水溝、或いは、家庭や工場の敷地に埋設された排水管１３を接続する会所として設置されるものである。排水桝Ａは、例えば、セメント製で有底の桝本体１４の複数の側壁１５に形成されている接続孔１６に排水管１３が接続されている。桝本体１４の上端部に形成された蓋載置縁１７には例えば鋳物や鋼鉄製の桝蓋１が載置されていて桝蓋１に形成した排水孔２…から雨水を内部に導入して排水するようにしている。排水管１３は桝本体１４の底部よりも上方において接続されて底部には溜まり部１８が形成されて排水桝Ａ内に落下した土や小石等が溜められて排水管１３側に流入するのを防止している。
　【００２３】
　中蓋３は、
桝本体１４内で斜め下方に向けて傾斜する
　【００２４】
　このように本発明においては、排水桝Ａの内部に中蓋３が雨水を堰き止める閉じ姿勢にして設けられて中蓋３を一定以上の重力によって開放可能に構成しているものである。
　【００２５】
　しかして、桝蓋１の排水孔２から内部に浸入した雨水は閉じ姿勢の中蓋３によって堰き止められるのであり、堰き止められた雨水が一定量を越えて一定以上の重力になるとばね力に抗して傾斜片６、６を開放して雨水を桝底部へと導入して雨水の排水をおこなうのであり、降雨がないときは中蓋３は閉じられていて、桝蓋１の排水孔２から蚊が侵入しても水溜まりに卵を産むことを阻止するのであり、排水桝Ａから蚊が発生するのを確実に防止することができ、かつ、臭気の漏洩も防止することができるのである。
　【００２６】
　この場合、中蓋３は、一対の傾斜片６、６の下端部が当接する略Ｖ字状の閉じ姿勢になる両開き構成となっているのであり、略Ｖ字状の谷部に溜められた雨水等の重力にて一対の傾斜片６、６を円滑に開くことができ、両開き構成だから所定の閉じ力にした場合に、一方の傾斜片６を開くための力を小（１／２）にでき、傾斜片６の開きのための応答性を高めることができ、中蓋３による排水機能を高めることができるのである。ところで、中蓋３の上方で桝蓋１の下方に網を設けてほこりやごみなどの異物を受けるようにして異物が排水内に侵入しないようにするとよい。
　【００２７】
　図３乃至図７は本発明の実施の形態を示し、但し、本実施の形態の基本構成は上記参考図の形態と共通であり、共通する部分には同一の符号を付して説明は省略する。
　【００２８】
　本実施の形態においては、ベース板２０に略三角形の側板２７、２７を取付け、側板２７に取付片３３を介して傾斜片６を水平軸７となる例えばピンにて回動自在に取付け、この場合、傾斜片６を閉じる手段４は、傾斜片６から支点を越えて延出した延出片２２にバランス重り１０をステー３２を介して取付けたものであり、閉じ手段４にバランス重り１０を採用することで、ばねにて閉じる構成に比べて傾斜片６を閉じる構成の耐久性を大幅に増すことができ、例えば、メタンガスなどが発生することがある排水桝Ａに好適となるものである。この場合、傾斜片６の先端部にパッキンＰを付設して気密性を高めて中蓋３を閉じるようにしている。
　【００２９】
　更に、中蓋３
の傾斜片６に溢流口３４を設けると共に溢流口３４に桝本体１４の
を介して
また、桝蓋１と傾斜片６との間の空間Ｓをフラップ片１２が桝蓋１に当たらないように回動し得る大きさに形成している。
　【００３０】
　図８及び図９は更に他の実施の形態を示し、但し、本実施の形態の基本構成は上記実施の形態と共通であり、共通する部分には同一の符号を付して説明は省略する。
　【００３１】
　本実施の形態においては、中蓋３は、鉛直方向に垂下された固定片８と固定片８の下端部に当接する
傾斜片６
傾斜片６
傾斜片６
　【００３２】
　本実施の形態においては、中蓋３は回動する
傾斜片６
　【００３３】
　図１１は更に他の実施の形態を示し、但し、本実施の形態の基本構成は上記実施の形態と共通であり、共通する部分には同一の符号を付して説明は省略する。
　【００３４】
　本実施の形態においては、桝蓋１に中蓋３を一体化したものである。
　【００３５】
　具体的には、ピンのような水平軸７を桝蓋１側に固定している軸受２４にて保持し、一対の傾斜片６、６の上端部に付設した軸受２５、２６にて水平軸７に傾斜片６、６を回動自在に保持し、傾斜片６には水平軸７とは反対側にバランス重り１０を付設して各傾斜片６、６を離れる側に回動付勢し、傾斜片６の先端部と桝本体１４の側壁１５との間で雨水を堰き止めるようにしたものである。この場合、排水桝Ａを横断する一枚の傾斜片６を備えるようにしてもよいものである。
　【００３６】
　図１２は更に他の実施の形態を示し、但し、本実施の形態の基本構成は上記実施の形態と共通であり、共通する部分には同一の符号を付して説明は省略する。
　【００３７】
　本実施の形態においては、排水桝Ａの内部に中蓋３が雨水を堰き止める閉じ姿勢にして設けられ、閉じ姿勢の中蓋３を降雨の検知結果にて開放する手段２８を設けたものである。
　【００３８】
　具体的には、一対の傾斜片６、６を各々モータ３０にて水平軸７の廻りに回動自在に保持し、一方の傾斜片６に雨水検知センサー２９を付設し、しかして、雨水検知センサー２９の検知結果を制御部３１に入力し、制御部３１からの制御信号にて、例えば、太陽電池のような電源からの電力にて、傾斜片６を開閉する手段２８であるモータ３０を駆動して傾斜片６を開き側に回動駆動するようにしたものである。この場合、雨水検知センサー２９の未降雨の検知結果にてモータ３０を逆回転させて傾斜片６を閉じ姿勢に戻すものである。しかして、傾斜片６を電動にて自動開閉することができるものである。ところで、本実施の形態においては、水平軸７は図１１の実施の形態のように桝蓋１側に保持してあっても、又、図４の実施の形態のように中蓋３側に設けるものであってもよい。又、雨水検知センサー２９とともに光電管を利用した異物検知センサーを設けて中蓋３上にごみや異物が存在することを検知し、その検知結果にて中蓋３を開放回動するようにしてもよいものである。又、中蓋３はモータ３０に代えて伸縮するシリンダーによって水平軸７の廻りに回動させるようにしてもよいものである。又、工場内の排水を管理するのに際して、工場内からの配線をモータ３０やシリンダーの駆動部に施して工場内電源によって駆動するようにしてもよい。この場合、中蓋３の開閉を制御信号によって遠隔制御するようにしてもよく、このような中蓋３の開閉を自動制御することで、排水管や排水溝からの臭いが工場内に侵入することを防止することができてよい。
　【００３９】
　このように、中蓋３の構成及び傾斜片
６の
　【００４０】
　尚、本発明の排水桝Ａは、野菜、鮮魚及び食品等を扱って衛生面を一定以上の環境下に維持する市場、工場等に設置してもよいのは言うまでもない。
　【００４１】
　【発明の効果】
　請求項１の発明においては、桝蓋の排水孔から内部に浸入した雨水は閉じ姿勢の中蓋によって堰き止められるのであり、堰き止められた雨水が一定量を越えて一定以上の重力になると中蓋を開放して雨水を桝底部へと導入して雨水の排水を支障なくおこなうことができながら、桝蓋の排水孔から蚊が侵入しても雨が降っていないときは中蓋は閉じられていることから、降雨や各種排水にて生じる水溜まりに侵入することを確実に防止することができ、蚊が水溜まりに卵を産むことを確実に阻止することができるのであり、排水桝から蚊が発生するのを確実に防止し、かつ、臭気の漏洩も防止することができるという利点がある。
　更に、例えば、集中豪雨時において、排水桝の内部からの水によってフラップ片を開いて道路側への溢流をおこなうことができることから、常時閉じ姿勢に中蓋を設置しても問題が生じることがないという利点がある。
　【００４２】
　請求項２の発明においては、請求項１の発明の効果に加えて、一対の傾斜片の下端部が当接する略Ｖ字状の閉じ姿勢になる両開き構成となっていることから、略Ｖ字状の谷部に溜められた雨水等の重力にて一対の傾斜片を円滑に開くことができ、傾斜片を開くための力を小にでき、傾斜片の開きのための応答性を高めることができ、中蓋による排水機能を高めることができるという利点がある。
　【００４３】
　請求項３の発明においては、請求項１の発明の効果に加えて、中蓋は回動する
傾斜片
　【００４４】
　請求項４の発明においては、請求項２又は３の発明の効果に加えて、閉じ手段は、傾斜
片に
片を
　【００４５】
　請求項５の発明においては、請求項１乃至４のいずれかの効果に加えて、フランジを桝蓋と桝本体の蓋載置縁とに敷込むことで既存の排水桝に中蓋を容易、迅速に設置することができるという利点がある。
　【００４６】
　【００４７】
　請求項６の発明においては、桝蓋の排水孔から内部に浸入した雨水は閉じ姿勢の中蓋によって堰き止められるのであり、堰き止められた雨水を降雨の検知結果に基づく制御信号によって中蓋を開放して雨水を桝底部へと導入して、雨水の排水を支障なくおこなうことができながら、桝蓋の排水孔から蚊が侵入しても雨が降っていないときは中蓋は閉じられていることから、降雨や各種排水にて生じている水溜まりに卵を産むことを確実に阻止することができ、排水桝から蚊が発生するのを確実に防止することができ、かつ、臭気の漏洩も防止することができ、しかも、雨水の検知結果に基づく制御信号によって中蓋を自動開閉できるという利点がある。
【図面の簡単な説明】
　【図１】
　本発明の参考図を示し、施工状態の概略断面図である。
　【図２】
　同上の桝蓋を外した概略平面図である。
　【図３】
　本発明の実施の一形態を示し、中蓋の上方からの斜視図である。
　【図４】
　同上の背方からの全体斜視図である。
　【図５】
　同上の設置状態の概略断面図である。
　【図６】
　同上のフラップ片の動きを示す説明図である。
　【図７】
　同上の背方からの斜視図である。
　【図８】
　同上の他の実施の形態の概略断面図である。
　【図９】
　同上の中蓋の背方からの概略斜視図である。
　【図１０】
　同上のフラップ片の動きを示す斜視図である。
　【図１１】
　更に他の実施の形態を示し、（ａ）（ｂ）は概略斜視図である。
　【図１２】
　同上の他の実施の形態を示し、（ａ）はブロック図、（ｂ）は概略断面図である。
　【符号の説明】
　１　桝蓋
　２　排水孔
　３　中蓋
　４　閉じ手段
　５　フランジ
　６　傾斜片
【図面】